(57)【要約】【課題】磁束発生手段２５と、前記磁束発生手段の発生磁束の作用により発熱する回転可能な発熱体２１を有し、前記発熱体に被加熱材を接触させて加熱する加熱装置について、発熱体に対する被加熱材の巻き付きに対して、簡単な手段構成・シーケンスによって検知でき、この巻き付きに起因する定着不良トラブル等の発生を防止できる加熱装置を提供する。【解決手段】前記誘導発熱体２１がキュリー点に達したことを検知するキュリー点到達検知手段２９と、前記発熱体の表面の温度を検知する温度検知手段２８と、前記温度検知手段と前記キュリー点到達検知手段の信号に基いて、前記被加熱材が前記発熱体に巻き付いていることを報知する。【選択図】図５
2005209644.tif 000002
【特許請求の範囲】
【請求項１】
磁束発生手段と、前記磁束発生手段の発生磁束の作用により発熱する回転可能な発熱体を有し、前記発熱体に被加熱材を接触させて加熱する加熱装置において、
前記発熱体がキュリー点に達したことを検知するキュリー点到達検知手段と、前記発熱体の表面の温度を検知する温度検知手段と、前記温度検知手段と前記キュリー点到達検知手段の信号に基いて、前記被加熱材が前記発熱体に巻き付いていることを報知することを特徴とする加熱装置。
【請求項２】
前記温度検知手段の温度がキュリー点よりも低く、かつ前記キュリー点到達検知手段により前記発熱体がキュリー点に達していると検知した場合、前記被加熱材が前記発熱体に巻き付いていることを報知することを特徴とする請求項１に記載の加熱装置。
【請求項３】
磁束発生手段と、前記磁束発生手段の発生磁束の作用により発熱する回転可能な発熱体を有し、前記発熱体に被加熱材を接触させて加熱する加熱装置において、
前記発熱体がキュリー点に達したことを検知するキュリー点到達検知手段と、前記発熱体の表面の温度を検知する温度検知手段と、少なくとも前記発熱体よりも下流側の被加熱材搬送路に所定時間に前記被加熱材が到達したかどうか検知する被加熱材到達検知手段を有し、加熱動作中に前記温度検知手段の温度がキュリー点よりも低く、かつ前記キュリー点到達検知手段により前記発熱体がキュリー点に達したことを検知した場合において、前回の加熱動作時の前記被加熱材到達検知手段の検知結果に応じて被加熱材が前記発熱体に巻き付いていることを報知することを特徴とする加熱装置。
【請求項４】
前記検知結果が被加熱材が到達していない場合は被加熱材が前記発熱体に巻き付いていることを報知し、前記検知結果が被加熱材が到達している場合は被加熱材が前記発熱体に巻き付いている以外の異常であることを報知することを特徴とする請求項３に記載の加熱装置。
【請求項５】
前記発熱体に対して被加熱材搬送路上流側に被加熱材到達検知手段を有し、前記温度検知手段の温度がキュリー点よりも低く、かつ前記キュリー点到達検知手段により前記発熱体がキュリー点に達した場合において、前回の加熱動作時に前記発熱体の直前の上流側の前記被加熱材到達検知手段により被加熱材が到達したと検知し、かつ前記発熱体の直後の下流側の前記被加熱材到達検知手段により被加熱材が到達していないと検知した場合に前記被加熱材が前記発熱体に巻き付いていることを報知することを特徴とする請求項３に記載の加熱装置。
【請求項６】
前記キュリー点到達検知手段は、前記発熱体からの漏洩磁束を検知する検知手段であることを特徴とする請求項１に記載の加熱装置。
【請求項７】
前記キュリー点到達検知手段は、前記入力電流を計測する検知手段であることを特徴とする請求項１に記載の加熱装置。
【発明の詳細な説明】
【技術分野】
【０００１】
本発明は、被加熱材上の像を加熱する電磁誘導加熱装置、例えば、電子写真方式・静電記録方式等のプリンター・複写機等の画像形成装置において、記録用紙上に形成された加熱溶融性の未定着トナー像を加熱定着させるための定着装置として用いて好適な電磁誘導加熱方式の加熱装置に関する。
【背景技術】
【０００２】
従来から画像形成装置において、記録媒体である記録紙ないし転写材などのシート上に転写方式もしくは直接方式で形成されたトナー像をシートに定着させる定着装置が設けられている。
【０００３】
この定着装置として、例えば特加熱源として高周波誘導を利用した誘導加熱方式の定着装置が提案されている。この誘導加熱定着装置は、金属導体からなる中空の定着ローラーの内部にコイルが同心状に配置されており、このコイルに高周波電流を流して生じた高周波磁界により定着ローラーに誘導渦電流を発生させ、定着ローラー自体の表皮抵抗によって定着ローラーそのものをジュール発熱させるようになっている（例えば、特許文献１）。この誘導加熱方式の定着装置によれば、電気−熱変換効率がきわめて向上するため、ウォームアップタイムの短縮化が可能となる。
【０００４】
加熱手段にかかわらず熱ローラータイプの定着装置に特有の紙ジャムの種類として、未定着のトナーが定着ローラーによって溶着される場合に紙厚などによって、定着ローラーに紙が巻き付く紙ジャムが存在する。定着ローラーは高温になっており、ユーザーがジャム紙を除去しにくい。また、無理に紙を除去しようとすると、定着ローラーを傷つけてしまう可能性もあり、その後の画質に影響が出る。
上記の巻き付きジャムを検知する機構として、定着前センサと定着後センサを設け、定着後センサと定着部の距離が定着ローラーまたは加圧ローラーの周長より短くし、検知手段間の距離を最小サイズ以下にすることで定着ローラーへの紙の巻き付きを検知する構成である。定着前センサに紙があり、定着後センサに紙が無いときＣＰＵは紙が定着ローラーまたは加圧ローラーに巻き付いていると認識し、ローラーの駆動を禁止し、定着後センサに紙がある時はローラーの駆動を許可する構成である（例えば、特許文献２）。
【０００５】
しかしながら、一度定着ローラーに巻き付いた紙は、ユーザーによってメインＳＷのＯＦＦ／ＯＮ等が行われてしまうと、巻き付いているかどうかの検知をすることは出来ず、コピー時に定着性が悪くなるなどの問題が発生してしまう。
【０００６】
また、定着ローラーへの紙の巻き付きによって、定着ローラーの温度検知機構とローラーとの間に紙が入り込み、表面温度を誤検知してしまう可能性がある。
【０００７】
電磁誘導加熱方式の定着装置において、定着ローラーの過昇温防止機能として、定着ローラーがキュリー点に達した時の磁性部材の透磁率が急激に下がり磁性部材から磁束が漏洩することを利用して、外部に漏洩磁束誘導部材を配置して漏洩磁束を捕らえ、サーモスイッチの温度を上昇させて電気回路を遮断して加熱手段からの電力投入を遮断することで防いでいる（例えば、特許文献３）。
【特許文献１】特開昭５９−３３７８７号公報
【特許文献２】特開平０６−１７５５２４号公報
【特許文献３】特開２００１−２６７０５０号公報
【発明の開示】
【発明が解決しようとする課題】
【０００８】
しかし、漏洩磁束を捕らえて加熱手段を遮断する方法では、紙の巻き付きが発生したことが原因かどうかわからないので、ユーザーは紙の巻き付きを検知できないまま電源を再投入することが続き、定着性が悪い等のクレームの発生原因となる。
【０００９】
また、装置を完全に停止させ、サービスマンを呼ぶことも可能だが、紙の巻き付きの異常は、通常はユーザーが対応することができるのにも関わらず装置を完全にダウンさせてしまっていた。
【００１０】
そこで本発明の目的は、発熱体に対する被加熱材の巻き付きに対して、簡単な手段構成・シーケンスによって検知でき、この巻き付きに起因する定着不良トラブル等の発生を防止できる加熱装置を提供することを目的とする。
【課題を解決するための手段】
【００１１】
上記目的を達成するための本発明に係る代表的な加熱装置の構成は、磁束発生手段と、前記磁束発生手段の発生磁束の作用により発熱する回転可能な発熱体を有し、前記発熱体に被加熱材を接触させて加熱する加熱装置において、前記発熱体がキュリー点に達したことを検知するキュリー点到達検知手段と、前記発熱体の表面の温度を検知する温度検知手段と、前記温度検知手段と前記キュリー点到達検知手段の信号に基いて、前記被加熱材が前記発熱体に巻き付いていることを報知することを特徴とする。
【発明の効果】
【００１２】
すなわち、前記の温度検知手段と前記のキュリー点到達検知手段の信号に基いて、前記被加熱材が前記発熱体に巻き付いていることを報知する、より具体的には、前記の温度検知手段の検知温度が目標温度に達する前に前記のキュリー点到達検知手段がキュリー点に達したことを検知したときに、発熱体に被加熱材が巻き付いたと判断することで、発熱体に対する被加熱材の巻き付きジャムを簡単な手段構成・シーケンスによって正確に報知することができる。
【００１３】
さらに、キュリー点到達検知手段を、磁気コイルによって発熱体からの漏洩磁束を検知する構成とすることで、キュリー点に達したことを非接触で検出可能な為、発熱体を傷つけることがない。
【００１４】
また、キュリー点到達検出手段を、加熱装置の入力電流を計測する検知手段とすることで、加熱装置付近の熱によって部品が劣化することがなく、簡潔な手段構成で検知可能になる。
【発明を実施するための最良の形態】
【００１５】
【実施例１】
【００１６】
（１）画像形成装置例
図１は本実施例における画像形成装置の概略構成図である。この画像形成装置は転写式電子写真プロセス利用のデジタルタイプの画像形成装置（複写機、プリンター、ファクシミリ、それらの複合機能機等）である。
【００１７】
Ａは画像形成装置本体（以下、装置本体と記す）、Ｂはこの装置本体Ａ内の略上半部に配設した電子写真作像部（本体画像出力部）、Ｃは装置本体Ａの上部に配設した画像読み取り装置（本体画像入力部）、Ｄはこの画像読み取り装置Ｃの上部に配設した自動原稿送り装置、Ｅは装置本体Ａの外側にアーム部を介して支持させたコンソール部、Ｆ１〜Ｆ４は装置本体Ａ内の略下半部に配設した、各種サイズの記録用紙を格納させた４つの給紙カセット（給紙段）、Ｆ５は装置本体Ａの外側に装置本体に接続して配設した大容量ペーパーデッキ、Ｆ６は装置本体Ａの外側に畳み込み自在に配設した手差し給紙トレイ部、Ｇは装置本体Ａの外側に手差し給紙トレイ部Ｆ６の配設側とは反対側に配設した排紙トレイ部である。
【００１８】
コンソール部Ｅは、各種操作キー、液晶等の表示部８を有し、それらによってユーザーがコピーモードを設定するなどの各種オペレーションが可能である。さらに、表示部８に装置の各種設定値や現在のジョブ状況等を表示させることができる。
【００１９】
画像読み取り装置Ｃは、光源１とミラー２〜４を有する移動光学系と、レンズ５と、イメージセンサ（ＣＣＤアレイ）６を用いたデジタル方式の装置であり、装置上面の原稿台ガラス７上に自動原稿送り装置Ｄにより原稿が画像面下向きで載置セットされる。
【００２０】
原稿台ガラス７上に置かれた画像面下向きの原稿に図１の左右方向に走査移動する光源１からの光が照射される。光は原稿によって反射され、光学像がミラー２〜４及びレンズ５を通してＣＣＤアレイ６に結像される。ＣＣＤアレイ６では結像された画像が電気信号に変換され、デジタルの画像データとなる。画像データは、ユーザーの要求に応じて拡大縮小等の画像変換が行われ、不図示の画像メモリに格納される。
【００２１】
電子写真作像部Ｂは、図２に部分拡大して示したように、像担持体である感光ドラム１１を中心部材とする電子写真プロセス機構である。感光ドラム１１は表面に有機光導電体からなる光導電層を有し、コピージョブ中は一定の速度で矢印の時計方向に回転駆動されている。まず前露光装置１２によって感光ドラム１１上に残っている電荷を除去した後、一次帯電器１３によって感光ドラム１１上に一様に電荷が付与される。レーザースキャナユニット１４から、前記の画像読み取り装置Ｃによって得られたデジタル画像データに従い変調されたレーザービームＬが出力され、感光ドラム１１上の光導電層に静電潜像が打ち出される。その後現像器１５から感光ドラム１１上の静電潜像にトナーを付着させ、静電潜像をトナー画像として可視画像にする。
【００２２】
ここで、レーザースキャナユニット１４に関して、画像の出力時には、電子写真作像部Ｂにおいて前記画像メモリに格納された画像データを呼び出し、デジタル信号からアナログ信号に再変換し、光学照射部１４ａよりレーザービームＬの光信号として出力し、それを、スキャナ（ポリゴンミラー）１４ｂ、レンズ１４ｃ及びミラー１４ｄを介して感光ドラム１１上に照射して感光ドラム１１上を走査露光する。
【００２３】
一方、給紙カセットＦ１〜Ｆ４、大容量ペーパーデッキＦ５、手差し給紙トレイ部Ｆ６の６つの給紙部Ｆ１〜Ｆ６のうちの、予め使用指定あるいは自動選択された給紙部の給紙搬送ローラーＲが不図示のモーターによって駆動されてその給紙部から記録用紙Ｐが１枚分離給紙され、各給紙部から感光ドラム１１と転写帯電器１６との対向部である転写部Ｔへ至る所定の用紙搬送路（シートパス）を通って転写部Ｔへ向けて運ばれる。記録用紙Ｐは転写部Ｔよりも手前側に配設したレジストローラーあるいはレジストセンサにより感光ドラム１１上のトナー画像の先端位置と記録用紙Ｐの先端位置とが転写部Ｔで所定に対応するように感光ドラム１１上に形成されたトナー画像に合わせて同期取りされて転写部Ｔへ給送される。転写帯電器１６は記録用紙Ｐを帯電させ、感光ドラム１１上のトナー画像を記録用紙Ｐに写しとる（トナー画像の転写）。その後、感光ドラム１１と用紙Ｐとの分離性を上げる為に、分離帯電器１７によって記録用紙Ｐを帯電させる。
【００２４】
感光ドラム１１から分離された記録用紙Ｐは搬送ベルト１９によって後述する電磁誘導加熱方式の加熱装置である定着装置２０に搬送されて未定着トナー画像が記録用紙Ｐの面に定着される。
【００２５】
一方、転写部Ｔにおいて記録用紙Ｐに転写されずに感光ドラム１１上に残ったトナーは、ドラムクリーナー１８によって掻き取られ、感光ドラム１１上の電荷は前露光装置１２によって一様に零にされ、次のコピーに備える。
【００２６】
片面コピーモードが選択されている場合には、定着装置２０を出た記録用紙Ｐはフラッパ３４により排紙ローラー３５に向かう方向に進路案内され、排紙ローラー３５により排紙トレイ部Ｇに片面コピーとして排紙される。
【００２７】
両面コピーモードが選択されている場合には、定着装置２０を出た一面側コピー済みの記録用紙Ｐがフラッパ３４によりスイッチバック搬送路３６を含む再給用紙搬送路３７側に進路案内され、この再給用紙搬送路３７側から電子写真作像部Ｂの転写部Ｔに所定の用紙搬送路を通って表裏面反転状態で再給紙され、二面側に対するトナー画像の転写がなされる。二面側に対するトナー画像の転写を受けた記録用紙Ｐは感光ドラム１１から分離され、搬送ベルト１９によって再び定着装置２０に搬送されて二面側に対するトナー画像の定着処理を受ける。そして定着装置２０を出た記録用紙Ｐはフラッパ３４により排紙ローラー３５に向かう方向に進路案内され、排紙ローラー３５により排紙トレイ部Ｇに両面コピーとして排紙される。
【００２８】
（２）定着装置２０
図３は定着装置２０の要部の概略構成を示す横断面模型図である。本実施例の定着装置２０は加熱ローラー型で電磁誘導加熱方式の加熱装置であり、図２・図３のように、互いに圧接させて定着ニップ部Ｎを形成させた一対の定着部材と加圧部材としての上下並行２本の加熱ローラー２１と加圧ローラー２２を主体とする。
【００２９】
加熱ローラー（以下、定着ローラーと記す）２１は外周面にフッ素樹脂等の耐熱性離形層２１ａを形成具備させた、厚さ例えば５０〜２０００μｍの誘導発熱体製の中空（円筒状）のローラーであり、その両端部側をそれぞれ定着装置の手前側と奥側の不図示の側板間に回転可能に軸受支持させて配設してある。また内空部には磁束発生手段としての励磁コイルユニット２３を挿入して非回転に固定支持させて配置してある。
【００３０】
加圧ローラー２２は、芯金２２ａと、この芯金２２ａの外回りに同心一体にローラー状に形成具備させたシリコーンゴム等の耐熱性弾性体層２２ｂと、さらにはその外周面に形成した離形性表面層と、からなる弾性ローラーであり、上記定着ローラー２１の下側に並行に配列して、芯金２２ａの両端部側をそれぞれ定着装置の手前側と奥側の不図示の側板間に回転可能に軸受支持させて配設してある。
【００３１】
そして、上記の定着ローラー２１または加圧ローラー２２の一方もしくは両方を不図示の付勢手段により加圧付勢して該両ローラー２１・２２を加圧ローラー２２の弾性体層２２ｂの弾性に抗して圧接させて所定幅の定着ニップ部Ｎを形成させている。
【００３２】
定着ローラー２１を構成する誘導発熱体は、ニッケル、鉄、強磁性ＳＵＳ、鉄−ニッケル合金、鉄−ニッケル−クロム合金、ニッケル−コバルト合金等の磁性金属（導電体、磁性体）、特開２０００−３９７９７号公報等に開示されるように、キュリー点温度を所望に調整した整磁合金等である。
【００３３】
定着ローラー２１の内空部に挿入した磁束発生手段としての励磁コイルユニット２３は、ホルダー（外装ケース体）２４、励磁コイル２５、磁性コア２６１〜２６３等の組み立て体であり、ホルダー２４内に励磁コイル２５と磁性コア２６１〜２６３を格納保持させてある。この励磁コイルユニット２３を定着ローラー２１の内空部に挿入して所定の角度姿勢でかつ定着ローラー２１の内面に対して非接触に所定の隙間間隔をあけた状態にして非回転に固定支持させて配置してある。
【００３４】
ホルダー２４には、ＰＰＳ系樹脂、ＰＥＥＫ系樹脂、ポリイミド樹脂、ポリアミド系樹脂ポリアミドイミド系樹脂、セラミック、液晶ポリマー、フッ素樹脂等の耐熱性・非磁性材料が適している。
【００３５】
励磁コイル２５は加熱に十分な交番磁束を発生するものでなければならないが、そのためには抵抗成分が低く、インダクタンス成分を高くとる必要がある。励磁コイル２５の芯線としてφ０．１〜０．３の細線を略８０〜１６０本ほど束ねたリッツ線を用いている。細線には絶縁被覆電線を用いている。また磁性コア２６１〜２６３を周回するようにホルダー２４の内側底面の形状に合せて横長舟型に複数回巻回して励磁コイルとしてある。
【００３６】
磁性コア２６１〜２６３はＴ字型に配置されている。磁性コア２６１〜２６３は例えばフェライト・パーマロイ等の高磁率の部材であり、損失の少ない材料で選別することが好ましい。励磁コイル２５は図４に示したように定着ローラー２１の長手方向に巻かれており、ホルダー２４の内壁と磁性コア２６１〜２６３によって保持されている。２５ａ・２５ｂは上記励磁コイル２５の２本の外方引出しリード線であり、給電回路に接続してある。
【００３７】
２７は定着ローラークリーナーであり、クリーニングウエブ２７ａをロール巻きに保持したウエブ繰り出し軸部２７ｂと、ウエブ巻取り軸部２７ｃと、該両軸部２７ｂ・２７ｃ間のウエブ部分を定着ローラー２１の外面に押し付ける押し付けローラー２７ｄなどからなる。押し付けローラー２７ｄで定着ローラー２１に押し付けたウエブ部分で定着ローラー２１面にオフセットしたトナーが拭われて定着ローラー面が清掃される。定着ローラー２１に押し付けられるウエブ部分は繰り出し軸部２７ｂ側から巻取り軸部２７ｃ側にウエブ２７ａが少しずつ送られることで徐々に更新される。
【００３８】
２８は温度検知手段としてのサーミスタ、２９は定着ローラー２１のキュリー点（キュリー点温度）到達検知手段としての磁気コイルである。このサーミスタ２８と磁気コイル２９は定着ローラー２１の外側で、定着ローラークリーナー２７のクリーニングウエブ２７ａの定着ローラー２１に対する接触部よりも定着ローラー回転方向下流側に配置してある。サーミスタ２８は定着ローラー２１の表面に対して弾性部材により押圧して弾性的に接触させて配置してある。磁気コイル２９は定着ローラー２１の表面に対して近接対向させて非接触に配置してある。サーミスタ２８と磁気コイル２９の両者配置位置は互いに近接していることが望ましいが、それに限らない。また温度検知手段２８はサーミスタに限らず、温度検知素子であればよく、また接触式のサーミスタでも非接触式のサーミスタでも構わない。ここでは接触式のサーミスタとして説明をする。
【００３９】
３１は定着前ガイド板であり、搬送ベルト１９から定着装置２０に搬送された記録用紙Ｐを定着部Ｎの入口部に案内する。
【００４０】
３２は定着後ガイド板であり、定着部Ｎの出口部を出た記録用紙Ｐを定着排紙ローラー３３（定着排紙部材）に案内する。３３ａは定着排紙ローラー３３に当接させた押圧コロであり、定着排紙ローラー３３とニップ部を形成し、定着排紙ローラー３３の回転に従動回転する。
【００４１】
Ｓ１は定着部前側紙検知部材（以下、定着前センサと記す）であり、定着部Ｎの用紙入口前（定着前ガイド板３１の途中部分の位置）に配置してある。この定着前センサＳ１は搬送ベルト１９から定着部Ｎへ搬送される記録用紙Ｐの有無を検知する。
【００４２】
Ｓ２は定着部後側紙検知部材（以下、定着後センサと記す）であり、定着排紙ローラー３３の用紙出口後（定着排紙ローラー３３とフラッパ３４との間位置）に配設してある。この定着後センサＳ２は定着排紙ローラー３３を通って搬送される記録用紙Ｐの有無を検知する。
【００４３】
定着前センサＳ１と定着後センサＳ２は図ではフラグ式のセンサで描いているが、光学式や超音波式等の非接触式センサを用いても構わない。
【００４４】
図５に上記の定着装置２０の加熱制御系回路（給電回路）のブロック図を示す。この加熱制御系回路は、ＡＣ入力を整流する整流回路１０１と、励磁コイル２５への通電をドライブするドライブ回路１０２と、ドライブ回路１０２へドライブ信号を与える共振出力制御回路１０３と、共振出力制御回路１０３へ投入電力値や回路のオン・オフ信号を与える投入電力制御回路１０４がある。共振制御回路１０３はドライブ回路１０２によって通電された電圧波形の位相を検出して共振周波数を制御している。また、サーミスタ２８の検知温度は投入電力制御回路１０４へ入力されており、定着ローラー２１が一定の温度（定着温度、目標温度）になるように共振出力制御回路１０３へオン・オフ信号や電力制御信号を生成している。さらに、磁気コイル２９の信号も投入電力制御回路１０４に入力されており、検知レベルから共振出力制御回路１０３へオン・オフ信号や電力制御信号を出力している。
【００４５】
画像形成装置の主制御部１００は画像形成装置のメイン電源スイッチがＯＮされると、不図示の定着ローラー駆動モーターを起動させて定着ローラー２１の回転駆動を開始させる。この定着ローラー２１の回転に従動して加圧ローラー２２も回転する。また主制御部１００は上記の加熱制御系回路を起動させて励磁コイル２５に高周波電流（例えば１０ｋＨｚ〜５００ｋＨｚ）を流す。これにより励磁コイル２５の周囲に高周波交番磁束が発生し、定着ローラー２１が電磁誘導発熱して所定の定着温度に向かって昇温していく。この定着ローラー２１の昇温がサーミスタ２８で検知され、その検知温度情報が投入電力制御回路１０４に入力する。投入電力制御回路１０４はサーミスタ２８から入力する定着ローラー２１の検知温度が所定の定着温度に維持されるように加熱制御系回路から励磁コイル２５に供給される電力を制御して定着ローラー２１の温度立上げ、定着温度での温調を行う。そして、この温調状態において、定着ニップ部Ｎに対して作像部側から未定着トナー像を担持した被加熱材としての記録用紙Ｐが導入されて定着ニップ部Ｎを挟持搬送されていくことで、定着ローラー２１の熱と定着ニップ部Ｎの加圧力で、未定着トナー像が記録用紙Ｐの面に加熱定着される。
【００４６】
（３）巻き付きジャム検知
各給紙部Ｆ１〜Ｆ６から排紙トレイ部Ｇへ至る用紙搬送路、及び再給用紙搬送路３７の要所要所には定着前センサＳ１や定着後センサＳ２も含めて搬送記録用紙の有無を検知する複数の紙検知センサを用紙搬送路に沿って配設してある。各紙検知センサからの紙検知信号が主制御部１００に入力する。主制御部１００は各紙検知センサから順次に入力する紙検知信号を基にして、感光ドラム１１に対する潜像書込みタイミング制御、次の給紙タイミング制御、定着シーケンス制御、ジャム検知等の装置本体のシーケンス制御を行う。
【００４７】
ジャム検知についていえば、主制御部１００は、給紙スタート後に何れかの紙検知センサにおいて所定タイミングで紙検知ができなかったとき、すなわち給紙スタート後において何れかの紙検知センサからの紙検知信号が、その紙検知センサについて給紙タイミングと用紙搬送速度と用紙搬送距離等を基に算出される適正紙検知タイミングを経過した時点においても入力されないときにはその紙検知センサよりも用紙搬送方向上流側の用紙搬送路部分において紙搬送不良によって紙ジャムが発生していると判断し、画像形成装置本体の駆動を緊急停止状態にするとともに、コンソール部Ｅの表示部８にジャム発生とその発生箇所の表示を行い、ユーザーにジャム紙を除去するように促す。
【００４８】
ユーザーは装置本体の開閉カバーを開けて装置本体内のジャム紙を認識して取り出す。この場合、開閉カバーの開きに連動して安全スイッチ（キルスイッチ）がオフになることで装置本体の電源回路が開路状態になり、ジャム処理するユーザーの電気的安全性の確保がなされる。ジャム処理後は開閉カバーを閉じることでこれに連動して安全スイッチがオンになり電源回路が閉路状態になる。主制御部１００は用紙搬送路のどこにも残留紙が無いことを全紙検知センサの状態にて確認して、ジャム状態をリセットする。これにより画像形成装置本体の作像動作の再開始が可能状態になる。
【００４９】
定着装置２０に特有の紙ジャムの種類として図６または図７のような定着ローラー２１に対する巻き付きジャム（巻き付きジャム形態１と２）がある。
【００５０】
図６の巻き付きジャム形態１と図７の巻き付きジャム形態２の巻き付きジャムは何れも、定着前センサＳ１では記録用紙Ｐの先端到達検知が適正紙検知タイミング内においてなされたけれども、その記録用紙Ｐが定着ローラー２１に巻き付いてしまい、定着後センサＳ２による記録用紙Ｐの先端到達検知が適正紙検知タイミング内でなされなかったことで、主制御部１００による画像形成装置本体駆動の緊急停止制御がなされて、定着ローラー２１の回転駆動および励磁コイル２５に対する電力供給が停止された状態となっている。
【００５１】
図６の巻き付きジャム形態１の場合は、記録用紙Ｐの長さサイズが大きくて後端側が定着前センサＳ１を通過し切っておらず、定着前センサＳ１が記録用紙Ｐを検知している状態で装置駆動が停止している。
【００５２】
図７の巻き付きジャム形態２の場合は、記録用紙Ｐの長さサイズが小さくて後端側が定着前センサＳ１を通過し切っていて、定着前センサＳ１が記録用紙Ｐを検知していない状態で装置駆動が停止している（完全巻き付きジャム）。
【００５３】
図６の巻き付きジャム形態１の場合は、これを除去しないまま開閉カバーが閉じられても定着前センサＳ１が記録用紙Ｐの存在を検知していることで、主制御部１００はジャム状態のリセットを実行せず、再度、コンソール部Ｅの表示部８にジャム紙を除去するように促す。
【００５４】
しかし、図７の巻き付きジャム形態２（完全巻き付きジャム）の場合や、図６の巻き付きジャム形態１の場合でもジャム処理のために記録用紙Ｐの後端を引っ張って記録用紙Ｐを引き抜き除去処理した際に記録用紙Ｐの後端側が千切れて記録用紙先端側が定着ローラー２１に巻き付いたまま残ってしまっているような場合には、これを除去しないまま開閉カバーが閉じられると、定着前センサＳ１は記録用紙Ｐの存在を検知していないので、主制御部１００はジャム状態のリセットを実行することになる。即ち、このままではユーザーは定着ローラー２１に対する記録用紙Ｐの巻き付きを知らないまま電源を再投入することが続き、定着性が悪い画像出力状態になる。
【００５５】
紙の搬送中に巻付きが発生すると、センサＳ２に紙が到達できないので、センサＳ２の遅延ジャムとなり、そのジャムが生じた履歴を主制御部１００にて保持しておく。
【００５６】
巻きつきが一度生じると、定着ローラー２１に紙Ｐが巻きついた状態では一般的には定着ローラー２１の摩擦力が変化して再度通紙しても２重に巻きつきが生じ、同じジャムが発生する。
【００５７】
本実施例はこのような定着ローラー２１に対する記録用紙Ｐの巻き付きも検知できるようにしたもので、誘導発熱体である定着ローラー２１のサーミスタ２８による温度検知信号情報と、誘導発熱体である定着ローラー２１の磁気コイル２９によるキューリー点到達検知信号情報とから図７のような巻き付きジャムを検知するものである。以下、これについて詳述する。
【００５８】
キュリー点到達検知手段としての磁気コイル２９は誘導発熱体である定着ローラー２１が電磁誘導加熱によってキュリー点Ｔｃに達した時に漏洩磁束を誘導するものである。
【００５９】
キュリー点Ｔｃとは、強磁性体等の磁性体が常磁性へ転移する温度である。強磁性体の透磁率は、加熱中でどんどん低下してゆくがキュリー点に達した場合には急激に低下する。その為、磁束発生手段である励磁コイル２５から誘導発熱体である定着ローラー２１に作用する磁束は定着ローラー２１が電磁誘導加熱によってキュリー点Ｔｃに達した時に定着ローラー２１をすり抜けて定着ローラー外部へ漏洩する。その漏洩磁束によって磁気コイル２９に誘導電流が流れる。この磁気コイル２９に電流が流れ始めたことを検知することで、定着ローラー２１がキュリー点Ｔｃに達したことを検知できる。図８は横軸が定着ローラー２１の温度であり、縦軸が磁気コイル２９に流れる電流値Ｉｃである。キュリー点Ｔｃ以下では漏洩磁束が実質的にないので磁気コイル２９に流れる電流Ｉｃはほぼ零であるが、キュリー点Ｔｃに達すると磁気コイル２９に流れる電流値Ｉｃは漏洩磁束の急峻な増大により急激に増加する。
【００６０】
このように磁気コイル２９の誘導電流によって定着ローラー２１がキュリー点Ｔｃに達したことが検知できるが、一般に定着ローラー２１の所定の目標温度（定着温度）Ｔａはキュリー点Ｔｃよりも低い温度に保たれる。
【００６１】
定着ローラー２１は、前記したように、サーミスタ２８による定着ローラー２１の検知温度情報が投入電力制御回路１０４に入力し、投入電力制御回路１０４がサーミスタ２８から入力する定着ローラー検知温度が所定の目標温度Ｔａに維持されるように加熱制御系回路（図５）から励磁コイル２５に供給する電力を制御することで、温度立上げ、目標温度Ｔａでの温調がなされる。
【００６２】
サーミスタ２８の検知温度が所定の目標温度Ｔａに一定となるように定着ローラー２１の温度制御がなされ、その目標温度Ｔａは定着ローラー２１のキュリー点Ｔｃより低い為、この温度制御状態時には定着ローラー外方への漏洩磁束は実質的に生じない。従って通常の状態では磁気コイル２９には電流は流れない。図９は画像形成装置の立ち上げ時におけるサーミスタ２８の検知温度を示す。横軸が時間で、縦軸が定着ローラー２１の温度（サーミスタ２８の検知温度）である。キュリー点Ｔｃよりも低い温度Ｔａを目標値として、サーミスタ２８の応答性によって目標値Ｔａを中心に往復するような信号となる。
【００６３】
定着ローラー２１に記録用紙Ｐが巻き付く場合は、記録用紙Ｐは定着ローラー２１に貼りついた状態になるため、定着ローラー２１とサーミスタ２８や磁気コイル２９の間に入り込む状態となる。この時、画像形成装置を立ち上げると、サーミスタ２８の定着ローラー温度検知信号は図１０のＴｔｈカーブのようになり、立ち上がりが遅くなる。これは、巻き付いた記録用紙Ｐに定着ローラー２１の熱が遮蔽されてサーミスタ２８の検知温度が実際の定着ローラー２１の温度よりも低く検知してしまう為である。よって、定着ローラー２１の実温度はＴｒのカーブのようになり、サーミスタ２８が所定の目標温度（定着温度）Ｔａを検知する前に、定着ローラー２１の実温度Ｔｒはキュリー点Ｔｃまで達してしまう。その結果、定着ローラー２１外に漏洩磁束が発生する。磁気コイル２９は定着ローラー２１との間に非磁性体の記録用紙Ｐが存在していても磁気を検知できる為、磁気コイル２９には誘導電流Ｉａが流れる。
【００６４】
このように定着ローラー２１に記録用紙Ｐが図７のように完全に巻付いて存在しているときには、装置の立ち上げ後、サーミスタ２８が所定の目標温度（定着温度）Ｔａを検知する前に、磁気コイル２９で漏洩磁束が検知される。定着装置２０については定着ローラー２１の駆動を停止させると共に投入電力制御回路１０４によって給電回路を遮断して励磁コイル２５に対する給電を停止させることで定着ローラー２１の電磁誘導加熱を止める。また主制御部１００はコンソール部Ｅの表示部８に定着ローラー２１に記録用紙Ｐが巻き付いていることをユーザーに知らせる表示を出す。
【００６５】
ユーザーは装置本体の開閉カバーを開けて定着装置２０の定着ローラー２１に巻付いている記録用紙Ｐを認識して除去処置する。定着ローラー２１に対する巻き付きジャムの場合は、定着部は未だ高温状態にあり、ユーザーがジャム処理しにくいし、無理に除去しようとすると、定着ローラー２１を傷つけてしまう可能性もあり、サービスマンによるジャム処理となる場合もある。
【００６６】
図１１は定着ローラー２１に対する記録用紙Ｐの巻き付きジャム検知も含む、定着装置２０の温度制御シーケンス図である。
【００６７】
画像形成装置のメイン電源スイッチがＯＮされる、あるいはジャム処理後に開閉カバーが閉じられて安全スイッチがオンになり電源回路が閉路状態になり、主制御部１００が用紙搬送路のどこにも残留紙が無いことを全紙検知センサの状態にて確認して、ジャム状態をリセットすることで、画像形成装置本体の作像動作の再開始が可能状態になると（ステップＳ１）、最初にサーミスタ２８と磁気コイル２９の信号をチェックし、サーミスタ２８の検知温度Ｔがエラーとなる温度Ｔｂ（例えば、２３０℃）以下であること、または、磁気コイル２９の電流値Ｉがキュリー点に達したと検知される電流値Ｉｃ以下であることを確認する（ステップＳ２のＮＯ）。この時、サーミスタ２８の検知温度ＴがＴｂ以上であったり、磁気コイル２９に電流Ｉｃが流れており、キュリー点Ｔｃ以上であると判断した場合は、サーミスタ２８もしくは磁気コイル２９または制御回路が破損してショートしている可能性があるので、定着ローラー２１の加熱を禁止してエラーを出す（ステップＳ３）。
【００６８】
正常な値を検知できていたら、定着ローラー２１の回転駆動を開始させると共に、励磁コイル２５に電力供給して定着ローラー２１の誘導加熱を開始する（ステップＳ４）。
【００６９】
定着ローラー２１の加熱中にはサーミスタ２８の検知温度Ｔを監視し（ステップＳ５）、検知温度Ｔが目標温度（定着温度）Ｔａ（例えば、２００℃）に達したら誘導加熱を停止する（ステップＳ６）。停止後にサーミスタ２８の検知温度Ｔが目標温度Ｔａよりも低い所定の温度Ｔｌｏｗ（例えば、１９０℃）以下になった場合（ステップＳ７）に再び誘導加熱を開始する（ステップＳ４）。通常は、このステップＳ４からＳ７の繰り返しにより、定着ローラー２１が目標温度（定着温度）Ｔａに温調維持される。
【００７０】
一方、サーミスタ２８の検知温度Ｔが目標温度Ｔａ以下であるにも関わらず（ステップＳ５のＹＥＳ）、磁気コイル２９のコイル電流Ｉｃが定着ローラー２１がキュリー点Ｔｃ（例えば、２２０℃）に達したと検知する閾値Ｉｄ以上の電流が流れた場合（ステップＳ８のＹＥＳ）は、主制御部１００は記録用紙Ｐが定着ローラー２１に図７のような完全巻き付き状態で存在している（巻き付きエラー）と判断して、画像形成装置の駆動を緊急停止させる。定着装置２０については定着ローラー２１の駆動を停止させると共に投入電力制御回路１０４によって給電回路を遮断して励磁コイル２５に対する給電を停止させることで定着ローラー２１の電磁誘導加熱を止める。また主制御部１００はコンソール部Ｅの表示部８に定着ローラー２１に記録用紙Ｐが巻き付いていることをユーザーに知らせる表示を出す。
【００７１】
本実施例では、ローラーに記録用紙が巻きついていることを知らせているが、これに限らず、紙の巻き付きをユーザーに促す指示や、紙の巻き付きである可能性が高い等の表示をすることもできる。
【００７２】
ステップＳ８における閾値Ｉｄは定着ローラー２１がキュリー点Ｔｃに達した時の電流値Ｉｏよりも低い電流値に設定しておくことが望ましい。
【００７３】
また、ステップ３で、コイルが断線していないかどうかのチェックをしてもよい。その際には、図１６のように磁気コイル２９に抵抗を介して電源を接続させ、追加した抵抗とコイルで分圧されるので、コンパレータ（ＣＭＰ）で閾値以下であることを検知します。ＣＭＰの出力は主制御部に接続し、主制御部はＣＭＰの出力からコイルが断線していないかどうか判断し、断線している場合はエラー信号を出して装置を緊急停止させる。
【００７４】
このように、温度検出器、キュリー点検出器が異常でないと判断することで、温度検出器、キュリー点検出器の検出結果が異常な場合、定着ローラに紙が巻き付いたことによる異常であることが判別することができる。
【実施例２】
【００７５】
本実施例では、実施例１の巻き付き検知を更に改良したものである。実施例１と同じところは説明を省略する。
【００７６】
本実施例は巻き付き検知のエラー検知をより正確に行うことができる。以下、これについて詳述する。本実施例では定着ローラー２１に記録用紙Ｐが図７のように完全に巻付いて存在しているときには、装置の立ち上げ後、サーミスタ２８が所定の目標温度（定着温度）Ｔａを検知する前に、磁気コイル２９で漏洩磁束が検知される。
【００７７】
これによって主制御部１００は異常であると判断し、用紙Ｐが定着ローラー２１に巻きついた可能性があると判断できる。このとき、以前のジャム履歴を参照し、被加熱材の到達検知手段としてのセンサＳ２の遅延ジャムが生じた場合は定着ローラー２１に巻きついていると判断して、画像形成装置の駆動を緊急停止させる。
【００７８】
定着装置２０については定着ローラー２１の駆動を停止させると共に投入電力制御回路１０４によって給電回路を遮断して励磁コイル２５に対する給電を停止させることで定着ローラー２１の電磁誘導加熱を止める。また主制御部１００はコンソール部Ｅの表示部８に定着ローラー２１に記録用紙Ｐが巻き付いていることをユーザーに知らせる表示を出す。
即ち、被加熱材到達検知手段を設け、ジャムが発生したと検知した直後（定着ローラに紙が巻きついている可能性のある直後）の場合に、温度検出器とキュリー点検出器の検知結果から紙が巻き付きと判断する。こうすることで、紙以外の巻きつきによる異常かそれ以外の異常かどうか判別することができる。
【００７９】
ユーザーは装置本体の開閉カバーを開けて定着装置２０の定着ローラー２１に巻付いている記録用紙Ｐを認識して除去処置する。定着ローラー２１に対する巻き付きジャムの場合は、定着部は未だ高温状態にあり、ユーザーがジャム処理しにくいし、無理に除去しようとすると、定着ローラー２１を傷つけてしまう可能性もあり、サービスマンによるジャム処理となる場合もある。
【００８０】
図１５は本実施例の定着ローラー２１に対する記録用紙Ｐの巻き付きジャム検知も含む、定着装置２０の温度制御シーケンス図である。
【００８１】
画像形成装置のメイン電源スイッチがＯＮされる、あるいはジャム処理後に開閉カバーが閉じられて安全スイッチがオンになり電源回路が閉路状態になり、主制御部１００が用紙搬送路のどこにも残留紙が無いことを全紙検知センサの状態にて確認して、ジャム状態をリセットすることで、画像形成装置本体の作像動作の再開始が可能状態になると（ステップＳ１）、最初にサーミスタ２８と磁気コイル２９の信号をチェックし、サーミスタ２８の検知温度Ｔがエラーとなる温度Ｔｂ（例えば、２３０℃）以下であること、または、磁気コイル２９の電流値Ｉがキュリー点に達したと検知される電流値Ｉｃ以下であることを確認する（ステップＳ２のＮＯ）。この時、サーミスタ２８の検知温度ＴがＴｂ以上であったり、磁気コイル２９に電流Ｉｃが流れており、キュリー点Ｔｃ以上であると判断した場合は、サーミスタ２８もしくは磁気コイル２９または制御回路が破損してショートしている可能性があるので、定着ローラー２１の加熱を禁止してエラーを出す（ステップＳ３）。
また、ステップ３で、コイルが断線していないかどうかのチェックをしてもよい。
正常な値を検知できていたら、定着ローラー２１の回転駆動を開始させると共に、励磁コイル２５に電力供給して定着ローラー２１の誘導加熱を開始する（ステップＳ４）。
【００８２】
定着ローラー２１の加熱中にはサーミスタ２８の検知温度Ｔを監視し（ステップＳ５）、検知温度Ｔが目標温度（定着温度）Ｔａ（例えば、２００℃）に達したら誘導加熱を停止する（ステップＳ６）。停止後にサーミスタ２８の検知温度Ｔが目標温度Ｔａよりも低い所定の温度Ｔｌｏｗ（例えば、１９０℃）以下になった場合（ステップＳ７）に再び誘導加熱を開始する（ステップＳ４）。通常は、このステップＳ４からＳ７の繰り返しにより、定着ローラー２１が目標温度（定着温度）Ｔａに温調維持される。
【００８３】
一方、サーミスタ２８の検知温度Ｔが目標温度Ｔａ以下であるにも関わらず（ステップＳ５のＹＥＳ）、磁気コイル２９のコイル電流Ｉｃが定着ローラー２１がキュリー点Ｔｃ（例えば、２２０℃）に達したと検知する閾値Ｉｄ以上の電流が流れた場合（ステップＳ８のＹＥＳ）は、次にジャム履歴を参照する。直前の履歴がセンサＳ２の遅延ジャムである場合（ステップＳ９のＹＥＳ）は主制御部１００は記録用紙Ｐが定着ローラー２１に巻きついたと判断して、画像形成装置の駆動を緊急停止させる。
【００８４】
また、直前の履歴がセンサＳ２の遅延ジャムでない場合（ステップＳ９のＮｏ）は主制御部１００は巻きつきと判断せず、他の異常が発生したと判断して、画像形成装置の緊急停止を行い、表示部８に定着部の動作異常を示すエラー信号を表示する。
【００８５】
また、直前の履歴がセンサＳ２の遅延ジャムである場合（ステップＳ９のＹｅｓ）の場合、主制御部１００は記録用紙Ｐが定着ローラー２１に図７のような完全巻き付き状態で存在している（巻き付きエラー）と判断して、画像形成装置の駆動を緊急停止させる。定着装置２０については定着ローラー２１の駆動を停止させると共に投入電力制御回路１０４によって給電回路を遮断して励磁コイル２５に対する給電を停止させることで定着ローラー２１の電磁誘導加熱を止める。また主制御部１００はコンソール部Ｅの表示部８に定着ローラー２１に記録用紙Ｐが巻き付いていることをユーザーに知らせる表示を出す。
ここで本実施例で述べている直前のジャムの履歴を説明する。前回のジャム履歴とは、前回の加熱動作時にジャムが起こっているかどうかの履歴のことを言う。また、一回の加熱動作は以下のことを言う。即ち、加熱装置はコピー信号が入力されることで、コピー動作（加熱動作）を開始する。そして、被加熱材が定着ローラーのニップ部で加熱され、一連のコピージョブが行なわれ、加熱動作が終了した時点までを一回の加熱動作とする。
【００８６】
ステップＳ８における閾値Ｉｄは定着ローラー２１がキュリー点Ｔｃに達した時の電流値Ｉｏよりも低い電流値に設定しておくことが望ましい。
【００８７】
本実施例では、定着ローラー下流側のセンサＳ２の場合のみで紙巻き付きかどうか検知したが、より好ましくは定着ローラー上流側及び下流側に被加熱材到達検知手段としてのセンサＳ１、Ｓ２を設け、定着ローラーの直前のセンサの検知結果は到達したが、直後のセンサでは到達していないと検知した場合、検知した後の最初の加熱動作した場合に、温度検出器とキュリー点検出器の検知結果が異常である場合（前記温度検知手段の温度がキュリー点よりも低く、かつ前記キュリー点到達手段により前記発熱体がキュリー点に達していると検知した）には紙が巻き付きと判断する。こうすることで、紙の巻きつき異常の検知を更に上げることが可能である。
【００８８】
また、定着ローラーのニップ部に対して上流下流に設けた被加熱材到達検知手段により、定着ローラーの直前のセンサの検知結果は到達したが、直後のセンサでは到達していないと検知した場合に、紙が定着ローラーに巻きついているのか、単なるジャムなのかどうかを判断する為に定着ローラーを所定時間、所定温度に温調させ（例えば定着温調）、該所定時間中に前記温度検知手段の温度がキュリー点よりも低く、かつ前記キュリー点到達手段により前記発熱体がキュリー点に達していると検知する紙巻き付き判断モードなるものを設けてもよい。
【実施例３】
【００８９】
本実施例では、実施例１または２の画像形成装置において、磁気コイル２９の代わりに電磁誘導加熱装置の制御回路内で定着ローラー２１のキュリー点への到達を検知する方法を示す。
【００９０】
本実施例における定着装置（電磁誘導加熱方式の加熱装置）の加熱制御系回路のブロック図を図１２に示す。ドライブ回路１０２から出力されるパルス波形の電流値を検知するパルス電流検知素子１０５と定着装置に入力されるＡＣの電流値を検知する入力電流検知素子１０６の出力を投入電力制御回路１０４に入力する。投入電力制御回路１０４はパルス電流検知素子１０５の信号が一定になるように共振出力制御回路１０３に電力制御信号を出力する。誘導発熱体である定着ローラー２１は励磁コイル２５によって加熱されるが、キュリー点Ｔｃに達すると磁性体の特性によって、力率が低下する。図１３に力率ｃｏｓθの変化に対してのパルス電流ＩｐｕｌｓｅとＡＣ入力電流Ｉｉｎの関係を示す。定着ローラー２１を所定の一定温度にする為にはパルス電流値Ｉｐｕｌｓｅを一定値Ｉｐ０に保つ制御を行う。定着ローラー２１の温度がキュリー点Ｔｃに達すると力率が低下するので、ＡＣ入力電流ＩｉｎはＩ０からＩ１まで低下する。ＡＣ電流検知素子１０６によって、投入電力制御回路１０４はＡＣ入力電流が低下したことを検知することで、定着ローラー２１がキュリー点Ｔｃに達したことを判断する。
【００９１】
サーミスタ２８とＡＣ入力電流の関係で、サーミスタ２８が目標温度（定着温度）Ｔａに達しない内にＡＣ入力電圧の低下によってキュリー点Ｔｃに達したことが検知されると，定着ローラー２１に記録用紙Ｐが巻き付いている（完全巻き付き）と判断する。
【００９２】
図１４は定着ローラー２１に対する記録用紙Ｐの巻き付き検知も含む、定着装置２０の温度制御シーケンス図である。
【００９３】
画像形成装置のメイン電源スイッチがＯＮされる、あるいはジャム処理後に開閉カバーが閉じられて安全スイッチがオンになり電源回路が閉路状態になり、主制御部１００が用紙搬送路のどこにも残留紙が無いことを全紙検知センサの状態にて確認して、ジャム状態をリセットすることで、画像形成装置本体の作像動作の再開始が可能状態になると（ステップＳ１１）、最初にサーミスタ２８の信号をチェックし、サーミスタ２８の検知温度Ｔがエラーとなる温度Ｔｂ以下であることを確認する（ステップＳ１２のＮＯ）。この時、サーミスタ２８の検知温度ＴがＴｂ以上であると判断した場合は、サーミスタ２８もしくは制御回路が破損してショートしている可能性があるので、定着ローラー２１の加熱を禁止してエラーを出す（ステップＳ１３）。ステップＳ１２において正常な値を検知できていたら、定着ローラー２１の回転駆動を開始させると共に、励磁コイル２５に電力供給して定着ローラー２１の誘導加熱を開始する（ステップＳ１４）。
【００９４】
定着ローラー２１の加熱中にはサーミスタ２８の検知温度Ｔを監視し（ステップＳ１５）、検知温度Ｔが目標温度（定着温度）Ｔａに達したら誘導加熱を停止する（ステップＳ１６）。停止後にサーミスタ２８の検知温度Ｔが目標温度Ｔａよりも低い所定の温度Ｔｌｏｗ以下になった場合（ステップＳ１７）に再び誘導加熱を開始する（ステップＳ１４）。通常は、このステップＳ１４からＳ１７の繰り返しにより、定着ローラー２１が目標温度（定着温度）Ｔａに温調維持される。
【００９５】
一方、サーミスタ２８の検知温度Ｔが目標温度Ｔａ以下であるにも関わらず（ステップＳ５のＹＥＳ）、ＡＣ入力電流ＩｉｎがＩ１まで低下したと検知した場合（Ｓ１８）は、主制御部１００は記録用紙Ｐが定着ローラー２１に図７のような完全巻き付き状態で存在している（巻き付きエラー）と判断して、画像形成装置の駆動を緊急停止させる。定着装置２０については定着ローラー２１の駆動を停止させると共に投入電力制御回路１０４によって給電回路を遮断して励磁コイル２５に対する給電を停止させることで定着ローラー２１の電磁誘導加熱を止める。また主制御部１００はコンソール部Ｅの表示部８に定着ローラー２１に記録用紙Ｐが巻き付いていることをユーザーに知らせる表示を出す。
【００９６】
以上実施例１から３で詳細に説明したように、誘導発熱体である定着ローラー２１の温度を検知する定着温度検知手段２８と定着ローラー２１がキュリー点Ｔｃに到達したことを検知するキュリー点到達検知手段２９（実施例１）または１０６（実施例３）の信号によって記録用紙Ｐが定着ローラー２１に巻き付いた（図７）ことを検知することで、ユーザーが目視で確認しにくい定着ローラー２１への巻き付きを検知でき、画像形成装置のメインスイッチをオフ／オンした後でも定着ローラー２１への巻き付きを検知できる。
【００９７】
また、キュリー点到達検知手段に磁気コイル２９（実施例１）を用いて漏洩磁束を捕らえることで、誘導発熱体である定着ローラー２１に非接触でかつ巻き付いた記録用紙Ｐの影響を受けずに定着ローラー２１がキュリー点Ｔｃに達したことを検知できる。かつ確実にキュリー点に達したことが検知できる。
【００９８】
また、誘導発熱体である定着ローラー２１がキュリー点Ｔｃに到達した際の力率の変化を利用して、ＡＣ入力電流の変化から定着ローラーがキュリー点に達したことを検知することで（実施例２）、設置時の取り付け誤差を低減し、かつ定着ローラー付近へ部品を配置することがないので部品の寿命を意識せずに検知が可能となる。
【００９９】
［その他］
１）本発明の電磁誘導加熱方式の加熱装置は、実施例の画像加熱定着装置としての使用に限られず、未定着画像を記録用紙に仮定着する仮定着装置、定着画像を担持した記録用紙を再加熱してつや等の画像表面性を改質する表面改質装置等の像加熱装置としても有効である。またその他、例えば、紙幣等のしわ除去用の熱プレス装置や、熱ラミネート装置、紙等の含水分を蒸発させる加熱乾燥装置など、シート状部材を加熱処理する加熱装置として用いても有効であることは勿論である。
【０１００】
２）誘導発熱体の形態はローラー体に限られず、エンドレスベルト体など他の回転体形態にすることができる。
【０１０１】
また、誘導発熱体はそれ単体の部材として構成することもできるし、該誘導発熱体の層を含む、耐熱性樹脂・セラミックス等の他の材料層との２層以上の複合層部材として構成することもできる。
【０１０２】
３）磁束発生手段による誘導発熱体の誘導加熱は実施例の内部加熱方式に限られず、磁束発生手段を誘導発熱体の外側に配設した外部加熱方式の装置構成にすることもできる。
【０１０３】
４）加熱装置に通紙する被加熱材のサイズが小サイズでありかつ連続通紙時に発生しやすい非通紙部昇温を回避するために、磁束発生手段から誘導発熱体に対する作用磁束の一部を遮蔽するシャッター部材などの磁束遮蔽手段あるいは磁束調整手段を具備させた装置構成にすることもできる。
【図面の簡単な説明】
【０１０４】
【図１】実施例１または２における、画像形成装置の概略構成図である。
【図２】図１の画像形成装置の転写部から定着部付近の拡大模型図である。
【図３】実施例１または２における、定着装置の要部の拡大横断面模型図である。
【図４】実施例１または２における、定着ローラーと励磁コイルの形態模型図である。
【図５】実施例１または２における、定着装置の加熱制御系回路（給電回路）のブロック図である。
【図６】実施例１または２における、定着ローラーに対する記録用紙の巻き付きジャム形態１の説明図である。
【図７】実施例１または２における、定着ローラーに対する記録用紙の巻き付きジャム形態２の説明図である。
【図８】実施例１または２における、定着ローラーの時間温度変化を示すグラフである。
【図９】画像形成装置の立ち上げ時におけるサーミスタの検知温度変化グラフである。
【図１０】実施例１または２における、定着ローラーに記録用紙が巻き付いた時の定着ローラーの温度特性と磁気コイルの出力を示すグラフである。
【図１１】実施例１における、定着ローラーに対する記録用紙の巻き付きジャム検知も含む、定着装置の温度制御シーケンスを示したフローチャートである。
【図１２】実施例２における、定着装置の加熱制御系回路（給電回路）のブロック図である。
【図１３】実施例２における、定着ローラーの力率による入力電流の変化を示す図である。
【図１４】実施例２における、定着ローラーに対する記録用紙の巻き付きジャム検知も含む、定着装置の温度制御シーケンスを示したフローチャートである。
【図１５】実施例２における、定着ローラーに対する記録用紙の巻き付きジャム検知も含む、定着装置の温度制御シーケンスを示したフローチャートである。
【図１６】実施例１における、定着装置の加熱制御系回路（給電回路）のブロック図である。
【符号の説明】
【０１０５】
Ａ・・画像形成装置本体、Ｂ・・電子写真作像部（本体画像出力部）、Ｃ・・画像読み取り装置（本体画像入力部）、Ｄ・・自動原稿送り装置、Ｅ・・コンソール部、Ｆ１〜Ｆ４・・給紙段、Ｆ５・・大容量給紙装置、Ｆ６・・手差し給紙トレイ、Ｇ・・排紙トレイ、Ｐ・・記録用紙、Ｒ・・給紙搬送ローラー、１・・光源、２，３，４・・ミラー、５・・レンズ、６・・ＣＣＤ、８・・表示部、１１・・感光ドラム、１２・・前露光装置、１３・・一次帯電器、１４・・レーザースキャナユニット、１４ａ・・光学照射部、１４ｂ・・スキャナ、１５・・現像器、１６・・転写帯電器、１７・・分離帯電器、１８・・ドラムクリーナー、１９・・搬送ベルト、２０・・定着装置、２１・・定着ローラー、２２・・加圧ローラー、２３・・定着排紙ローラー、２７・・定着ローラークリーナー、２７ａ・・ウエブ、２８・・温度検知手段（サーミスタ）、２９，１０６・・キュリー点到達検知手段（磁気コイル，ＡＣ入力電流検知素子）
【図３】
2005209644.tif 000003
【図６】
2005209644.tif 000004
【図７】
2005209644.tif 000005
【図８】
2005209644.tif 000006
【図９】
2005209644.tif 000007
【図１】
2005209644.tif 000008
【図２】
2005209644.tif 000009
【図４】
2005209644.tif 000010
【図５】
2005209644.tif 000011
【図１０】
2005209644.tif 000012
【図１１】
2005209644.tif 000013
【図１２】
2005209644.tif 000014
【図１３】
2005209644.tif 000015
【図１４】
2005209644.tif 000016
【図１５】
2005209644.tif 000017
【図１６】
2005209644.tif 000018